(57)【要約】【課題】  大量の書類を安価に効率的に整理するための書類ファイルを提供する。【解決手段】  フックのついたクリアファイルに書類を入れて、書類棚に引っ掛けることにより、自重でファイルが閉じ、書類を挟み込む。あるいは書類をフックのついたクリップで挟んで、書類棚にひっかけると、クリップの両端についた紐の自重により、書類が閉じる。これらを書類棚に引っ掛け、インデックスにより書類棚で区分けして書類を整理することにより、解決する。【選択図】図１
2011037197.tif 000002
【特許請求の範囲】
【請求項１】
引っ掛けたとき、重力により左右が閉じて、書類を挟み込むことを特徴とするファイル。
【請求項２】
クリアホルダーの開放側の上部にあるフックにより書棚に引っ掛け、請求項１に記載の原理で、書類を挟み込むことを特徴とするファイル。
【請求項３】
フックのついたクリップの左右に、一定の重さのある紐などぶら下げた形状で、請求項１に記載の原理で書類を挟むことを特徴とするファイル。
【発明の詳細な説明】
【技術分野】
【０００１】
本発明は、書類を、安価に効率的に整理するためのファイル文具に関するものである。
【背景技術】
【０００２】
吊下げ式の書類ファイル棚が、幾つか考案されている。書類をファイルして、バインダーの背面の鈎を、専用の書類棚に引っ掛けて整理するものや、ボックスの中に書類を入れ、書類棚のバーをボックスの吊下げ金具に引っ掛けて吊り下げるもの、ファイルホルダに書類を入れ、上部を書類棚に備え付けのレールに水平に滑り込ませる形式で、吊下げるものや、書類を挟み込むファイルの上部両端にフックが取り付けられており、ファイルの幅より少し大きめの書類棚に両端のフックを引っ掛けて、水平に吊り下げるものなど、様々な形状の書類ファイルとそれ専用の書類棚が考えられている。ハンガークリップ式の場合、ダブルクリップに鈎があり、それを書類棚に引っ掛けて収納するタイプと、ダブルクリップに通し穴を設け、そこに書類棚の棒に通すタイプも考えられている。
【特許文献１】特開昭58-076297  書類吊下ユニットの改良
【特許文献２】特開昭63-199694  書類の収納装置
【特許文献３】実全平3-033180  ボックス収納棚
【特許文献４】特開平5-193294  ファイルシート保存装置
【特許文献５】実開平5-15372  ハンガーファイル
【特許文献６】特開平6-199090  吊下げ型書類保管設備
【特許文献７】特開平10-313955  書類等の収納装置
【特許文献８】特開平10-151886  収納設備の吊掛け体取付け構造
【特許文献９】特開平10-151887  収納設備の吊掛け体取付け構造
【特許文献１０】実全昭58-066980  吊り下げ具付きクリップによる書類整理器
【特許文献１１】実開平6-071160  ターンクリップ及び見出付ターンクリップ
【特許文献１２】実全昭62-001984  ダブルクリック式の、ファイリング用綴金具
【特許文献１３】特開2000-118614  ファイルホルダの格納方法
【特許文献１４】特開2007-090720  ダブルクリップ用アタッチメント
【発明の開示】
【発明が解決しようとする課題】
【０００３】
大量の書類を整理するとき、バインダーやファイルなど既存の文具は、書類の継ぎ足しや、削除、改正のための書類の取り出しで、バインダーを綴じ直さなければならず、時間と労力がかかる。１区分の書類が少ないと、不必要に分厚いファイルを置くことになり、融通がきかない。クリアホルダーは書類ケースやボックスを必要とするので、空間利用の効率が悪い上に、必要な書類を見つけにくい。書類を挟む留め具が必要な場合、構造が複雑になる。留め具のないファイルの場合、ブックエンドのような仕切りにより押さえる必要がある。吊下げ式ファイルにすることで、これらの不便さが改善される。
【０００４】
従来考案された吊下げ式のファイルでは、ファイルの構造が複雑で、重量が重くなり、持ち運びが不便であること、同時に書類棚の構造も複雑であるため、安価で速やかに製造しにくい。ファイルの吊下げ方はできるだけ単純な方が良く、金具に差し込む、あるいははめ込むといった労力のかかる作業をしなくてよい構造が好まれると考える。また、ファイルの幅が固定式で厚みが決まっているので、ファイルした書類が閉じないため、無駄に書類棚のスペースを使うことになる。
【０００５】
本発明は、単純な仕組みでこれらの問題を解決し、扱いやすく、安価で簡単に製作できるデザインのファイル文具を提供することを、目的とする。
【課題を解決するための手段】
【０００６】
クリアホルダーの開放側上部にフックが付いており、書類棚のレールに引っ掛けると、自重で両端が自然に閉じて、書類がしまい込まれる。あるいは、フックのついたダブルクリップのレバーに一定の重量のある紐状の物が付いており、同様にレールに引っ掛けると、紐の自重により、書類を内側に挟み込む。
【発明の効果】
【０００７】
本発明により、単純な構造と原理で、コンパクトにかつ簡単に書類を整理することができる。空間を浪費せず、重量も軽減でき取扱いが楽である。製造も簡単でコストダウンできる。また、大量の書類の整理が安価でかつ素早く効率的に行える。既製のバインダーやボックスを必要とせず、分厚い書類の束の取り扱いに難儀しない。この吊下げ式のファイルだと、書類がどんなに増えても、必要な書類が即座に取り出せ、挿入、削除も簡単に行える。ブックエンドも必要ない。
【発明を実施するための最良の形態】
【０００８】
クリアホルダー型の吊下げ式ファイルは、クリアホルダー（図2. 6）に、書類棚に引っ掛けるためのフック（図2. 3）が、開放側のコーナー上部に付いた構造を基本とする（図2）。フックの取り付け方に指定はない。一例として、図2 のように、開放側の側面の両側にフックの足（図2. 5）を接着剤で貼り付ける方法を示した。フックの形状は、図４に例示するように、書類棚のレール（図4. 2）に引っ掛けた際、クリアホルダーが重心でバランスをとれる長さと位置にあり、レールの形状にフィットして引っ掛けやすい構造であればよい。クリアホルダーやフックの素材は、書類の重量に耐えられるものであれば問わないが、クリアホルダーは、中身が見えるよう(半)透明の方が好ましい。またフラッグインデックス（図1. 9）が、書類棚に吊り下げた時に見えやすい位置にあると、書類の内容がわかり、分類しやすいと思われる。
【０００９】
ダブルクリップ型の吊下げ式ファイル（図3）は、ダブルクリップ（図3. 8）の背側にフックの足（図3. 5）が接着しており、それに一定の重量のある紐状の物（図3. 4）が、両端のレバー（図3. 7）に吊り下がった形状が、最も簡単である。ダブルクリップで書類を挟み、フック（図3.3）を書類棚のレールに引っ掛けると、同様の原理で、紐状の物の自重で書類が閉じる。フックの素材は、書類の重量に耐えられるものであれば良い。書類を挟むための紐状の物は、一定の重量があり、ぶら下げると書類を内側に閉じ込む長さであれば良い。
【図面の簡単な説明】
【００１０】
【図１】吊下げ式ファイルの実施例を示した説明図。
【図２】クリアホルダー型の吊下げ式ファイルの例。
【図３】ダブルクリップ型の吊下げ式ファイルの例。
【図４】フックの例。
【符号の説明】
【００１１】
１    棚
２    レール
３    フック
４    紐
５    フックの足
６    クリアホルダー
７    レバー
８    ダブルクリップ
９    フラッグインデックス
【図１】
2011037197.tif 000003
【図２】
2011037197.tif 000004
【図３】
2011037197.tif 000005
【図４】
2011037197.tif 000006